(57)【要約】【課題】釣竿の製造コストを増大させることなく、上栓を傷付けないように保護しつつ、状況に応じて様々な形態で上栓を携帯保持できるようにする利便性の高い釣竿の上栓携帯用ホルダを提供する。【解決手段】本発明の上栓携帯用ホルダ１は、元竿３の先端開口３ａに嵌め込まれるようになっている上栓１０の嵌合部１４を覆って保護するための保護カバー２２と、保護カバー２２に設けられ、保護カバー２２を支持対象物に支持させるために支持対象物に着脱自在に取り付けられる取付部２４とをを備える。【選択図】図１
2014147329.tif 000002
【特許請求の範囲】
【請求項１】
釣竿の元竿の先端開口を閉塞する上栓を携帯するための上栓携帯用ホルダであって、
前記元竿の先端開口に嵌め込まれるようになっている前記上栓の嵌合部を覆って保護するための保護カバーと、
前記保護カバーに設けられ、該保護カバーを支持対象物に支持させるために支持対象物に着脱自在に取り付けられる取付部と、
を備えることを特徴とする上栓携帯用ホルダ。
【請求項２】
前記保護カバーは、前記元竿の先端開口の内径とほぼ等しい内径を有する筒体から成り、前記上栓と着脱自在に嵌合することを特徴とする請求項１に記載の上栓携帯用ホルダ。
【請求項３】
前記筒体が前記元竿と同じ素材から形成されることを特徴とする請求項２に記載の上栓携帯用ホルダ。
【請求項４】
前記取付部は、該取付部と前記支持対象物とを接続する接続手段を有することを特徴とする請求項２または請求項３に記載の上栓携帯用ホルダ。
【請求項５】
前記取付部は、前記接続手段を挿通できる挿通孔を有することを特徴とする請求項４に記載の上栓携帯用ホルダ。
【発明の詳細な説明】
【技術分野】
【０００１】
本発明は、釣竿、特に振出し式の釣竿の上栓を携帯する際に用いられる上栓携帯用ホルダに関する。
【背景技術】
【０００２】
元竿を形成する竿杆の内部に外径の異なる複数の竿杆を同心的に収納できる振出し式の釣竿が従来から知られている。
【０００３】
このような振出し式の釣竿では、元竿の竿杆内に他の竿杆を全て収納した状態で、元竿の先端開口が上栓によって閉じられる。一方、釣竿を使用する際には、上栓を元竿の先端開口から取り外して、元竿の竿杆内から他の竿杆を引き出して伸ばすが、その際に、上栓の取り扱いが問題となる。
【０００４】
すなわち、釣竿の使用時に取り外される上栓は、例えば、釣人が着用するズボンや、釣人が携行するバッグ等に収納されるが、釣竿の種類によっては上栓の大きさも様々であり、上栓が小さいと、上栓を紛失し易くなり、また、上栓が大きいと、上栓が嵩張って邪魔になる。また、上栓を雑に扱うと、上栓に傷が付き、特に元竿の先端開口に嵌め込まれる上栓の嵌合部に傷が付くと、上栓と元竿の先端開口との嵌合具合に影響する可能性がある。
【０００５】
このような状況において、例えば特許文献１ないし特許文献３は、上栓を取り付ける取付部または上栓を収容する収容部を、元竿の基端部または元竿の基端開口を塞ぐ尻栓などに設け、釣竿使用時に取り外された上栓を前記取付部または前記収容部に保持または収容させる構造を提案している。
【先行技術文献】
【特許文献】
【０００６】
【特許文献１】実開昭４９−８１８８４号公報
【特許文献２】実開昭６１−１９７８６６号公報
【特許文献３】実開昭６１−１９７８６７号公報
【発明の概要】
【発明が解決しようとする課題】
【０００７】
しかしながら、元竿の基端部に前記取付部または前記収容部を設ける構造では、竿杆や尻栓に加工を施さなければならないため、釣竿の製造コストが高くなる。また、元竿の基端部にしか上栓を取り付けられないため、利便性が悪い。特に、元竿の基端部は、釣竿を置き竿にする場合などを含め、地面などの他の障害物と接触する機会が多いため、上栓が傷付き易い。
【０００８】
本発明は、前述した問題に着目してなされたものであり、釣竿の製造コストを増大させることなく、上栓を傷付けないように保護しつつ、状況に応じて様々な形態で上栓を携帯保持できるようにする利便性の高い釣竿の上栓携帯用ホルダを提供することを目的とする。
【課題を解決するための手段】
【０００９】
上記目的を達成するために、本発明は、釣竿の元竿の先端開口を閉塞する上栓を携帯するための上栓携帯用ホルダであって、前記元竿の先端開口に嵌め込まれるようになっている前記上栓の嵌合部を覆って保護するための保護カバーと、前記保護カバーに設けられ、該保護カバーを支持対象物に支持させるために支持対象物に着脱自在に取り付けられる取付部とを備えることを特徴とする。
【００１０】
上記構成の上栓携帯用ホルダは、元竿の先端開口に嵌め込まれるようになっている上栓の嵌合部を覆って保護するための保護カバーを備えるため、上栓（特に嵌合部）を傷付けないように且つ汚れないように保護することができる。また、上記構成の上栓携帯用ホルダは、保護カバーを支持対象物に支持させるために支持対象物に着脱自在に取り付けられる取付部を備えるため、保護カバーにより保護された上栓を取付部によって支持対象物（例えば、携帯電話、クーラーボックス、竿ケース、ズボンのベルト、バッグなど）に紛失しないように支持させることができる。すなわち、上記構成の上栓携帯用ホルダは、状況に応じて様々な形態で上栓を携帯保持することができ、利便性が高い。また、釣竿を加工しなくて済むため、釣竿の製造コストを増大させることもない。
【発明の効果】
【００１１】
本発明の上栓携帯用ホルダは、釣竿の製造コストを増大させることなく、上栓を傷付けないように保護しつつ、状況に応じて様々な形態で上栓を携帯保持でき、利便性が高い。
【図面の簡単な説明】
【００１２】
【図１】本発明の一実施形態に係る上栓携帯用ホルダ、および、上栓が取り付けられる振出し式の釣竿の一例を示す側面図。
【図２】図１の振出し式の釣竿の元竿の先端開口に上栓を取り付けた状態を示す概略側面図。
【図３】（ａ）は上栓携帯用ホルダの側断面図、（ｂ）は（ａ）のＡ方向矢視図、（ｃ）は（ａ）の上栓携帯用ホルダの保護カバーに上栓が嵌合した状態を示す側断面図。
【図４】上栓およびその嵌合部の分解斜視図。
【図５】上栓携帯用ホルダの保護カバーと取付部とを分解して示す斜視図。
【発明を実施するための形態】
【００１３】
以下、図面を参照しながら、本発明に係る上栓携帯用ホルダの一実施形態について説明する。
図１および図２に示されるように、振出し式の釣竿１では、元竿３を形成する竿杆の内部に外径の異なる複数の竿杆５，７・・・（一部しか図示されていない）が同心的に収納される。このような振出し式の釣竿１では、元竿３の竿杆内に他の竿杆５，７・・・を全て収納した図２の状態で、元竿３の先端開口３ａが上栓１０によって閉じられる。一方、釣竿１を使用する際には、図１に示されるように、上栓１０が元竿３の先端開口３ａから取り外され、元竿３の竿杆内から他の竿杆５，７・・・が引き出されて伸ばされる。
【００１４】
特に図１および図４に明確に示されるように、上栓１０は、元竿３の先端開口３ａに嵌め込まれるようになっている例えばゴム製の円筒状の嵌合部１４と、例えばローレット加工が施された円柱状の頭部１２とから成る。図４に示されるように、頭部１２はその端面から延びるネジ付きの軸部１４を有し、この軸部１４には嵌合部１４がその内孔１４ａを介して取り付けられる。
【００１５】
上栓１０を携帯するための上栓携帯用ホルダ２０は、上栓１０の嵌合部１４を覆って保護するための筒状の保護カバー（筒体）２２と、保護カバー２２に設けられ、保護カバー２２を支持対象物（図示せず）に支持させるために支持対象物に着脱自在に取り付けられる取付部２４とを備える。
【００１６】
取付部２４は、保護カバー２２の一端側からその内孔２２ａに嵌め付けられて固定される内側突出部２９と、取付部２４と前記支持対象物とを接続するための接続手段を有する外側突出部２８とから成る。保護カバー２２は、例えば元竿３と同じ素材から形成され、元竿３の先端開口３ａの内径とほぼ等しい内径を有して上栓１０の嵌合部１４と着脱自在に嵌合するようになっている。
【００１７】
図１および図３には接続手段としてボールチェーン３０が示されているが、接続手段としては、例えばフック、粘着テープ、ネジなど様々な形態が考えられる。例えば、接続手段がボールチェーン３０の場合、取付部２４の外側突出部２８は、ボールチェーン３０が挿通できる挿通孔２７を有する。
【００１８】
取付部２４が着脱自在に取り付けられる支持対象物としては、例えば、携帯電話、クーラーボックス、竿袋、竿ケース、バッグ、ズホンのベルト等を含む着用物の引掛部を挙げることができるが、そのような支持対象物は、これらに限らず、静止体および移動体といった任意の物体の任意の部位であってもよい。
【００１９】
釣竿１を使用する際に元竿３の先端開口３ａから取り外された上栓１０は、その嵌合部１４が、予め支持対象物に取付部２４（接続手段３０）を介して取り付けられている上栓携帯用ホルダ２０の保護カバー２２に嵌め付けられる。あるいは、釣竿１から取り外された上栓１０は、その嵌合部１４が上栓携帯用ホルダ２０の保護カバー２２に嵌め付けられ、その嵌め付け状態で、上栓携帯用ホルダ２０がその取付部２４（接続手段３０）を介して支持対象物に取り付けられる。一方、釣竿１を図２に示される状態で収納する場合には、上栓携帯用ホルダ２０から上栓１０を取り外して、元竿３の先端開口３ａに上栓１０の嵌合部１４を嵌め込む。
【００２０】
なお、上記構成では、保護カバー２２または取付部２４に空気抜き孔を形成し、それにより、上栓１０がホルダ２０に装着された際にホルダ２０内の圧縮された空気によって上栓１０がホルダ２０から不意に抜けないように、圧縮された空気を前記空気抜き孔によって逃がすようにしてもよい。このようにすると、上栓１０をホルダ２０に対して確実に保持できる。
【符号の説明】
【００２１】
１  釣竿
３  元竿（竿杆）
３ａ  先端開口
５，７  竿杆
１０  上栓
１４  嵌合部
２０  上栓携帯用ホルダ
２２  保護カバー
２４  取付部
２７  挿通孔
３０  接続手段
【図１】
2014147329.tif 000003
【図２】
2014147329.tif 000004
【図３】
2014147329.tif 000005
【図４】
2014147329.tif 000006
【図５】
2014147329.tif 000007